(57)【特許請求の範囲】
【請求項１】
大きさの異なる大カセットと小カセットの２種類のカセットが１つのカセット挿入口から挿入可能であり、カセット挿入口から挿入したカセットが待機状態のカセットホルダに装填された状態でローディング位置に移動する動作と、上記カセットが上記カセットホルダに装填された状態で上記待機状態であるエジェクト位置に移動する動作とが行える記録再生装置において、
上記カセットホルダに装填された上記大小のカセットがローディング位置に着地する動作においてカセット蓋を開放する機構として、上記カセットホルダに橋渡し状に回動可能に設けた１つのカセット蓋起こし機構で行われるようにすると共に、
上記大カセットと小カセットはカセットの厚みが異なり、上記カセット蓋起こし機構には共通の蓋起こし本体部に上記大小のカセットのカセット蓋を開放するそれぞれ専用の蓋起こし片を備え、大カセット用の蓋起こし片に対して小カセット用の蓋起こし片は低く、
カセット側に長く形成され、大カセットのカセット蓋が開放する動作が行われるときには、
小カセット用の蓋起こし片は当該カセット蓋に無接触状態であることを特徴とする記録再生装置。
【請求項２】
請求項１記載の記録再生装置において、
上記カセット蓋起こし機構は上記カセットホルダの待機位置にあっては、上記カセットホルダに設けたロック部材により回動不能にロックされ、カセットホルダのローディング動作時にはロックが解除されることを特徴とする記録再生装置。
【請求項３】
請求項１記載の記録再生装置において、
上記カセット蓋起こし機構は上記カセットホルダがローディング位置に着地する移動動作においては蓋起こし部材に接触して開放されることを特徴とする記録再生装置。
【請求項４】
請求項１記載の記録再生装置において、
上記カセット蓋起こし機構は上記カセットホルダがローディング位置からエジェクト動作において蓋閉め部材に接触して閉止されることを特徴とする記録再生装置。
【請求項５】
請求項１記載の記録再生装置において、
上記蓋起こし機構には上記カセットホルダへの上記カセットの誤挿入ストッパ機能を備えたことを特徴とする記録再生装置。
【請求項６】
請求項１〜５のいずれかに記載の記録再生装置において、
ビデオ・カセット・レコーダに適用されることを特徴とする記録再生装置。
【発明の詳細な説明】
【０００１】
【発明の属する技術分野】
本発明は、１つのカセット挿入口に対して大きさの異なる２種類以上のテープカセットが使用可能なＶＣＲ装置（ビデオ・カセット・レコーダ装置）等の記録再生装置に関し、特にカセットコンパートメント（以下、カセコンという）のカセットホルダへ装填される大きさの異なるテープカセットのカセット蓋起こし機構に係わるものである。
【０００２】
【従来の技術】
従来、１つのカセット挿入口から大きさの異なる大小のテープカセットをカセットホルダに装填し、記録再生動作を行うことのできるいわゆるコンパチブル方式のＶＣＲ装置は提案されている。
【０００３】
このようなＶＣＲ装置は通常、テープカセットの形状がカセット蓋起こし部材に対し共通の形状となっており、カセット蓋起こし部材の共通の操作部で異なる大きさのカセットのカセット蓋を開放する動作が行えるようになっている。しかし、共通の操作部で蓋起こしを許容する構造になっていないカセットの場合には１つのカセット蓋起こし部材で共通にカセット蓋を開放することはできなかった。
【０００４】
また、別々の独立した蓋起こし部材によって蓋起こしを可能にしたものも提案されている。しかしこの場合も蓋起こし部材が互いに不具合を生じないように大きいカセットが小さいカセットの蓋起こし部材を避けるようになっている構成も提案されている。この場合はそれぞれの蓋起こし部材が両立するので蓋起こし部材側がメカシャーシ上等に固定されているものでも実現が可能であった。
【０００５】
また、カセットホルダにカセット蓋起こし機構を付設した場合、カセットの待機状態において蓋起こし部材の姿勢をロックすることによりＶＣＲ装置の使用姿勢を垂直状態にすることができるようにした機構は、単一のカセットを使用する記録再生装置においては実現されていたが、２種類以上の大きさの異なるカセットが使用可能なＶＣＲ装置には実現されていなかった。
【０００６】
また、カセットを縦挿入や誤った向きでの誤挿入をされたときの装置の破損やカセットが取り出せなくなってしまうようなトラブルを防止するための蓋起こし機構は、単一のカセットを使用する記録再生装置においてはカセットホルダに対し橋渡し状に配置することで実現されていたが、２種類以上の大きさの異なるカセットが使用可能なＶＣＲ装置には実現されていなかった。また、蓋起こし機構だけでカセットの挿入した際の力を受けることはできたが、蓋起こし機構に大きな力を受けたとき対応できるようにした機構はなかった。
【０００７】
【発明が解決しようとする課題】
このように従来の記録再生装置では、カセット側で共通の蓋起こし機構や、それぞれ独立の蓋起こし機構により実現可能の場合にはカセットの形状に制約を設ける必要が出てきて、カセットのデザイン性やカセットの最少設計を最適にするためには弊害となっていた。また、この弊害を記録再生装置側で対応しようとすると別に動作する機構が必要となってくるため機構が複雑化するといった問題があった。
【０００８】
特に、大きさの異なるカセットでは、カセットの厚みまでも異なっているとカセット蓋の大きさやカセット蓋の回転中心までの距離、前後の距離が異なることとなるため、全く同じ回転中心のものでカセット蓋を開くことは困難であった。このため、カセットホルダの両側部を回転支点として橋渡し状に配置された蓋起こし機構を実現することは困難であった。
【０００９】
また、カセットを縦挿入や誤った向きでの誤挿入をされたときの装置の破損やカセットが取り出せなくなってしまうようなトラブルを防止することができなかった。
【００１０】
本発明は、上述したような課題を解消するためになされたもので、カセットホルダに回転可能に支持された１つのカセット蓋起こし機構により大きさの異なるカセットの蓋起こしを行うことのできるＶＣＲ装置に適用して好適な記録再生装置を得ることを目的とする。
【００１１】
【課題を解決するための手段】
上述の目的を達成するため、本発明による基礎録再生装置は、カセットホルダに装填された大小いずれかのカセットがローディング位置に着地する動作においてカセット蓋を開放する機構として、カセットホルダに橋渡し状に回動可能に設けた１つのカセット蓋起こし機構で行われるようにすると共に、大カセットと小カセットはカセットの厚みが異なり、カセット蓋起こし機構には共通の蓋起こし本体部に大小のカセットのカセット蓋を開放するそれぞれ専用の蓋起こし片を備え、大カセット用の蓋起こし片に対して小カセット用の蓋起こし片は低く、カセット側に長く形成され、大カセットのカセット蓋が開放する動作が行われるときには、小カセット用の蓋起こし片は当該カセット蓋に無接触状態であることを特徴とする。
【００１２】
このように構成したことにより、１つのカセット蓋起こし機構の回動動作により大小カセットのカセット蓋を専用の蓋起こし片で開放することができる。この際、当該カセットのカセット蓋の開放に関係しない蓋起こし片はカセット蓋とは接触しない位置で回動する。
【００１４】
また、カセット蓋起こし機構はカセットホルダの待機位置にあってはカセットホルダに設けたロック部材により回動不能にロックされ、カセットホルダのローディング動作時にロックが解除されることで、記録再生装置を正常な姿勢以外にしたときでもカセット蓋起こし機構が妄りに動くことが規制され、カセットホルダのローディング動作時においてカセット蓋起こし機構のロックが解除されることでカセット蓋起こし機構の正常な動作が行われる。
【００１５】
また、カセット蓋起こし機構はカセットホルダがローディング位置に着地する移動動作において蓋起こし部材に接触して開放されるようにしたことで、カセット蓋起こし機構とは別に付設した蓋起こし部材により強制的に確実に開放動作させることができる。
【００１６】
また、カセット蓋起こし機構は上記カセットホルダがローディグ位置からエジェクト動作において蓋閉め部材に接触して閉止されるようにしたことで、カセット蓋起こし機構とは別の付設した蓋閉め部材により強制的に確実に閉止動作させることができる。
【００１７】
また、カセット蓋起こし機構にはカセットホルダへのカセットの誤挿入を防止する誤挿入ストッパ機能を備えたことで、カセットホルダ内にカセットを誤挿入してカセット蓋起こし機構に強く突き当たるような力を受けても、誤挿入ストッパに突き当たってカセット蓋起こし機構のはね上げが防止され、カセットがカセットホルダを乗り越えてメカシャーシ内に挿入されるのを回避できる。
【００１８】
【発明の実施の形態】
以下、本発明による記録再生装置の実施例を大小２種類のテープカセットが使用可能なコンパチブル方式の民生用のＶＣＲ装置に適用した例をとって図面を参照して説明する。
【００１９】
図１は本例のＶＣＲ装置のカセットコンパートメント（以下、カセコンという）の分解斜視図、図２はカセットホルダの平面図を示す。
【００２０】
まず、図１においてカセコンの主要部の構成について説明する。
カセコンの全体を符号１で示し、矢印方向が図示しないテープカセットの挿入方向である。カセコン１の両側部にはメカシャーシ２上においてカセコンフレーム３，３が立設され、カセコン１の入口側にカセット扉４の上端部に設けた支承軸４ａ，４ａがカセコンフレーム３，３に形成した支承部３ａ，３ａに揺動可能に支持されている。そして、このカセット扉４の前方にカセット挿入口５を有するフロントパネル６が配置されている。
【００２１】
カセコン１内にはテープカセットをローディング位置及びエジェクト位置に搬送するためのカセットホルダ７が配置されている。このカセットホルダ７の一方側にはカセット引き込み／排出機構８が組み込まれている。このカセット引き込み／排出機構８は本発明の要部でないため構成の説明は省略し機構的な動きについて説明する。
【００２２】
テープカセットがカセットホルダ７に挿入されると、後述するカセット挿入検出機構５０によってローディングモータが駆動され、カセット引き込み／排出機構８を介してカセットホルダ７の上部に支持アーム９，９に支持されて横断するローラ１０が巻き込み方向へ回転されテープカセットをカセットホルダ７の最奥部のカセットストッパ７ａに突き当たるまで深く引き込み動作が行われる。その後、テープカセットはカセットホルダ７と共にローディング位置へ搬送される。
【００２３】
また、カセットホルダ７と共にテープカセットがエジェクト位置へ移動してくると、カセット引き込み／排出機構８を介してローラ１０が上述と反対方向へ回転し、テープカセットの後端部をカセット挿入口５外へ突出するように排出動作が行われる。
【００２４】
このように動作するカセット引き込み／排出機構８にはホルダスライダ１１，１１を介して前後一対ずつのガイド軸１２ａ，１２ａ、１２ｂ，１２ｂを有し、これらガイド軸が上述したカセコンフレーム３，３に形成した水平部と垂直部とからなる一対のローディング用ガイド溝１３，１４に係合される。各ガイド軸１２ａ，１２ａ、１２ｂ，１２ｂはローディング用ガイド溝１３，１４を貫通し、カセコンフレーム３，３の外側面に配置した駆動スライダ１５，１５に形成した一対のローディング用カム溝１５ａ，１５ａに係合される。駆動スライダ１５の上縁にはラック１６が形成されている。
【００２５】
駆動スライダ１５，１５のラック１６，１６にはカセコンフレーム３，３の上縁の軸受３ｂ，３ｂに支持される軸１７の両端部のギア１８，１８が噛み合い、一方のギア１８に減速ギア１９を介してモータ２０の回転駆動力が伝達される。
【００２６】
また、前述したフロントパネル６とカセットホルダ７との間には、図示しない大カセットと小カセットとがカセットホルダ７の規定された位置に案内し、あるいはカセットの誤挿入を防止するためのガイド機構４０が配置されている。
【００２７】
ガイド機構４０の構成について簡単に説明すると、カセットホルダ７の収容部と同一平面上をなすフレーム面４１には左右一対の小カセットスロープ４２，４２と、この小カセットスロープ４２，４２の外側に左右一対の大カセットスロープ４３，４３と、小カセットスロープ４２，４２の後方側にカセットストッパ４４，４４とが図示しないリンク機構によりそれぞれ上方へばね付勢されるようにして設けられている。
【００２８】
小カセットスロープ４２，４２及びカセットストッパ４４，４４の間の間隔は小カセットの幅と対応し、従って、カセット挿入口５から挿入された小カセットは小カセットスロープ４２，４２及びカセットストッパ４４，４４にガイドされカセットホルダ７に装填される。
【００２９】
また、大カセットスロープ４３，４３とカセットストッパ４４，４４はそれぞれ対角線にある同士が連動可能であり、大カセットスロープ４３，４３の幅全体が大カセットの幅と一致している。従って、カセット挿入口５から挿入された大カセットは両方の大カセットスロープ４３，４３を押し込むことでカセットストッパ４４，４４も連動して押し込まれて通過しカセットホルダ７に装填される。尚、例えば小カセットが規定された以外の位置から挿入されたとき、カセットストッパ４４に突き当たってカセットの挿入は阻止される。
【００３０】
ここで、カセットホルダ７に挿入されるカセットを検出するための前述したカセット挿入検出スイッチ機構５０を図１について簡単に説明する。
【００３１】
カセット挿入検出スイッチ機構５０はカセット挿入検出部材５１と検出スイッチ５２から構成されている。カセット挿入検出部材５１はカセット挿入口５から見て上述したガイド機構４０の右側のカセットストッパ４４側に偏したカセット挿入通路に配置され、フレーム面４１に出没可能に取り付けられている。このカセット挿入検出部材５１は図示しないばね部材によりフレーム面４１上に突出するようにばね付勢されている。そして、カセット挿入検出部材５１はカセットの挿入によりカセット挿入検出部材５１が回動動作されたとき検出スイッチ５２がオン動作し電気的に挿入が検出される。
【００３２】
一方、カセットホルダ７のカセット支持面には一対の小カセットの位置決めガイド機構６０が配置されている。この位置決めガイド機構６０は本発明の要部ではないため簡単に説明すると、位置決めガイド機構６０はカセットホルダ７の裏面に固定したばね部材６１に支持され、当該カセットホルダ７に形成した開口部６２に対して出没可能にされている。位置決めガイド機構６０は全体の形状として外側に高い壁部６３と、内側に低いカセット乗り面６４とからなり、壁部６３の内壁面が小カセットの側面が案内されるガイド壁面６５である。このため、小カセットはその両側面が位置決めガイド機構６０，６０に位置決めされてカセットホルダ７内の決められた位置に挿入することができる。
【００３３】
また、大カセットの場合の位置決めガイドはカセット両側面がカセットホルダ７の両側板がガイド板６６，６６となって挿入することができる。この際、小カセットの位置決めガイド機構６０は大カセットに押し倒されて開口部６２内に後退する。
【００３４】
次に、本発明の要部であるカセット蓋起こし機構の構成を同じく図１及び図２についてて説明する。尚、図２において符号６７は小カセットの前端部を平面図で示し、６８は小カセットのカセット蓋である。また、６９は大カセットの前端部を平面図で示し、７０は大カセットのカセット蓋を示す。
【００３５】
カセット蓋起こし機構の主要部を符号７１で示す。この主要部７１はプラスチック材の成形品から構成され、カセット蓋起こし本体部７２の両端部に軸受板７３，７４が一体成形されている。一方の軸受板７３はその外面側に突出した軸ピン７３ａが上述したカセットホルダ７の一方のガイド板６６に形成した軸孔６６ａに支持される。他方の軸受板７４はこれに形成した軸孔７４ａをカセットホルダ７の他方のガイド板６６に形成した軸ピン６６ｂに支持される。これによって、カセット蓋起こし本体部７２はカセットホルダ７の前端部に橋渡し状に横断し水平状態と垂直状態とに回動可能に支持される。
【００３６】
また、カセット蓋起こし本体部７２の一方側に偏した底部には小カセット６７のカセット蓋６８を開放する蓋起こし片７５が一体成形され、また、カセット蓋起こし本体部７２の一方側の端部の底部には大カセット６９のカセット蓋７０を開放する蓋起こし片７６が一体成形されている。さらに詳しく説明すると、蓋起こし片７５は小カセット６７のカセット蓋６８の側端部底面６８ａに接触して蓋起こしされ、蓋起こし片７６は大カセット６９のカセット蓋７０の側端部底面７０ａに接触して蓋起こしされる。
【００３７】
一方、カセットホルダ７側にはカセット引き込み／排出機構８の一方のホルダスライダ１１の上端部にカセット蓋起こし機構のロック爪７７が内側に折り曲げ形成されている。また、カセットホルダ７の支持面の前端部に一対の誤挿入ストッパ７８ａ，７８ａが形成されている。
【００３８】
次に、カセット蓋起こし機構の動作について説明する。
カセットホルダ７がカセット排出位置であるエジェクト状態では図３に示すようにカセット引き込み／排出機構８のホルダスライダ１１は後退している。このため、カセット蓋起こし本体部７２の一方の軸受板７３がホルダスライダ１１のロック爪７７の下に位置しているため、カセット蓋起こし本体部７２は回動不能にロックされている。つまり、カセット蓋起こし本体部７２がロックされていることで、ＶＣＲ装置自体を本来の正常な姿勢以外にしたときでもカセット蓋起こし機構が妄りに動くことを規制して誤動作を防止している。また、カセットホルダ７に図示しないカセットが挿入され、カセット引き込み／排出機構８の駆動によりカセットがカセットホルダ７内に深く引き込まれてストッパ部７ａに位置決めされ動作によってホルダスライダ１１は仮想線の位置に移動することで、カセット蓋起こし本体部７２はロック爪７７からのロック解除状態となり回動可能状態となる。
【００３９】
まず、カセット蓋の蓋起こし動作を図４〜図７について説明する。
図４は大カセット６９がカセットホルダ７内に装填されて水平に搬送されローディング位置に着地する直前の動作状態であり、図ではカセット蓋起こし本体部７２を軸受板７４側から見た側面図である。図４の動作状態においてカセット蓋起こし本体部７２の蓋起こし片７５，７６は大カセット６９の底側に位置している。ここで、大カセット用の蓋起こし片７６に対して小カセット用の蓋起こし片７５はやや低く、しかもカセット側にやや長く形成されている。これは、大小カセットのカセット蓋６８，７０の回動支点軸までの距離が異なっていることを計算して設定している。また、カセット蓋起こし本体部７２の側端部の下側の一方の傾斜面７２ａに図示しないカセコン本体部から立設した蓋起こし部材７９が対応している。
【００４０】
また、大カセット６９がカセットホルダ７に装填された状態においては、大カセット６９のカセット蓋７０の回動支点軸７０ｂの位置に対してカセット蓋起こし本体部７２の軸受板７４の回動部である軸受孔７４ａは同軸線上に一致している位置関係にある。
【００４１】
かくして、カセットホルダ７がローディング位置に着地し始めると、カセット蓋起こし本体部７２の傾斜面７２ａが蓋起こし部材７９に接触し、カセット蓋起こし本体部７２は回動部７４ａを回動支点として回動する。この動作によって、カセット蓋起こし本体部７２と共に回動動作する蓋起こし片７６が大カセット６９のカセット蓋７０の側端部底面７０ａと接触し、カセット蓋７０を開放する動作が行われる。このとき、別の蓋起こし片７５はカセット蓋７０に無接触状態で通過するだけである。
【００４２】
図５はカセットホルダ７がローディング位置に着地しカセット蓋起こし本体部７２によりカセット蓋７０が完全に開放された状態である。そして、カセット蓋起こし本体部７２は蓋起こし部材７９により開放状態を保持されている。
【００４３】
図６は小カセット６７がカセットホルダ７内に装填されて水平に搬送されローディング位置に着地する直前の動作状態であり、図では上述と同様にカセット蓋起こし本体部７２を軸受板７４側から見た側面図である。
【００４４】
ここで、小カセット６７がカセットホルダ７に装填された状態においては、小カセット６７のカセット蓋６８の回動支点軸６８ｂはカセット蓋起こし本体部７２の軸受板７４の回動部である軸受孔７４ａに対して回動半径がやや短くなる位置関係にある。
【００４５】
かくして、カセットホルダ７がローディング位置に着地し始めると、カセット蓋起こし本体部７２の傾斜面７２ａが蓋起こし部材７９に接触し、カセット蓋起こし本体部７２は回動部７４ａを回動支点として回動する。この動作によって、カセット蓋起こし本体部７２と共に回動動作する蓋起こし片７５が小カセット６７のカセット蓋６８の側端部底面６８ａと接触し、カセット蓋６８を開放する動作が行われる。このとき、別の蓋起こし片７６はカセット蓋６８に無接触状態で通過するだけである。
【００４６】
図７はカセットホルダ７がローディング位置に着地しカセット蓋起こし本体部７２によりカセット蓋６８が完全に開放された状態である。そして、カセット蓋起こし本体部７２は蓋起こし部材７９により開放状態を保持されている。
【００４７】
次に、カセット蓋の蓋閉め動作を図８〜１０について説明する。尚、ここではカセットは省略してある。
【００４８】
図８はカセットホルダ７がローディング位置に着地している状態であり、カセット蓋起こし本体部７２は垂直位置に開放している。また、カセットホルダ７のローディング位置においてカセット蓋起こし本体部７２の上方にカセコン本体部８０から垂設した蓋閉め片８１が対向して位置している。
【００４９】
さて、図８のローディング位置からカセットホルダ７がエジェクト方向へ引き上げられ始めると、図９に示すようにカセット蓋起こし本体部７２の他方の傾斜面７２ｂが蓋閉め片８１に突き当たり、このため、カセット蓋起こし本体部７２は強制的に閉止方向へ回動され始める。このカセット蓋起こし本体部７２の閉止動作に伴ってカセットホルダ７内に装填されている図示しないカセットのカセット蓋はそれ自体に付設してある蓋閉め方向へ付勢されているばね部材のばね力によって閉止方向へ動作する。そして、カセットホルダ７が図１０に示すように最も引き上げられた状態ではカセット蓋起こし本体部７２は閉止途中であるが、カセット蓋のばね閉止力により回動され、図示しない水平位置に戻る。その後、カセットホルダ７はエジェクト位置へ後退する。
【００５０】
また、本発明によるカセット蓋起こし機構には、カセットホルダ７の前端部に誤挿入ストッパ７８ａ７８ａを備えたことで、例えばカセットを縦向きの姿勢や斜めの姿勢でカセットホルダ７内に誤挿入し、カセットをカセット蓋起こし本体部７２に強く突き当てるような力を受けた場合、カセット蓋起こし本体部７２が誤挿入ストッパ７８ａ，７８ａに突き当たって保持されカセット蓋起こし本体部７２のはね上げが防止される。これによって、カセットがカセット蓋起こし本体部７２で規制されカセットホルダ７を乗り越えてメカシャーシ内に挿入されるのを回避することができる。
【００５１】
このように本発明によるカセット蓋起こし機構は、カセットホルダ７に橋渡し状に回動可能に付設した１つのカセット蓋起こし機構によって、大きさの異なる大カセット６９及び小カセット６７のカセット蓋の蓋起こしを簡単な構成で確実に行うことができるといった利点がある。
【００５２】
尚、本発明は、上述しかつ図面に示した実施例に限定されるものでなく、その要旨を逸脱しない範囲内で種々の変形実施が可能である。
【００５３】
本発明の実施例ではカセット蓋起こし本体部７２を開閉動作する蓋起こし部材７９及び蓋閉め部材８１を、カセット蓋起こし本体部７２の一端側で行うようにしたが、本体部７２の両端側に蓋起こし部材７９及び蓋閉め部材８１を配置するようにすれば、本体部７２の開閉動作をより確実に行うことができる。
【００５４】
また、実施例では大きさの異なる大小２種類のテープカセットが使用可能ないわゆるコンパチブル方式のＶＣＲ装置について説明したが、大きさが２種類以上の異なるテープカセットが使用可能な場合でも適用可能であることは言うまでもなく、しかも、オーディオ装置等の記録再生装置に使用されるカセット蓋起こし機構にも広く適用可能である。
【００５５】
【発明の効果】
以上説明したように、本発明による記録再生装置は、カセットホルダに装填された大小いずれかのカセットがローディング位置に着地する動作においてカセット蓋を開放する機構として、カセットホルダに橋渡し状に回動可能に設けた１つのカセット蓋起こし機構で行われるようにすると共に、大カセットと小カセットはカセットの厚みが異なり、カセット蓋起こし機構には共通の蓋起こし本体部に大小のカセットのカセット蓋を開放するそれぞれ専用の蓋起こし片を備えたことで、１つのカセット蓋起こし機構の回動により大小カセットのカセット蓋を専用の蓋起こし片で開放することがてきる。しかも、簡単な構成で確実に行うことができるといった効果がある。
【００５６】
また、蓋起こし部材の共通化を必要としないためカセットのデザインや大きさの制約が少なくなり設計の自由度が高まり小さいカセットをより小さくすることが可能となり、小さいカセットのみを使用する記録再生装置の大きさを小型化することができる
【００５８】
また、カセット蓋起こし機構はカセットホルダの待機位置にあってはカセットホルダに設けたロック部材により回動不能にロックされ、カセットホルダのローディング動作時にロックが解除されることで、記録再生装置を正常な姿勢以外にしたときでもカセット蓋起こし機構が妄りに動くことを規制することができ、これによって、カセットホルダの誤動作を回避することができる。
【００５９】
また、カセット蓋起こし機構はカセットホルダがローディング位置に着地する移動動作において蓋起こし部材に接触して開放されるようにしたことで、カセット蓋起こし機構とは別に付設した蓋起こし部材により当該カセット蓋起こし機構を強制的に安定して確実に開放動作させることができる。
【００６０】
また、カセット蓋起こし機構はカセットホルダがローディグ位置からエジェクト動作において蓋閉め部材に接触して閉止されるようにしたことで、カセット蓋起こし機構とは別の付設した蓋閉め部材により強制的に安定して確実に閉止動作させることができる。
【００６１】
また、カセット蓋起こし機構にはカセットホルダへのカセットの誤挿入を防止する誤挿入ストッパ機能を備えたことで、カセットホルダ内にカセットを誤挿入してカセット蓋起こし機構に強く突き当たるような力を受けても、誤挿入ストッパに突き当たってカセット蓋起こし機構のはね上げが防止され、カセットがカセットホルダを乗り越えてメカシャーシ内に挿入されるのを回避することができる。
【００６２】
また、本発明のカセット蓋起こし機構を大きさの異なる２種類以上のテープカセットが使用可能なコンパチブル方式のＶＣＲ装置のカセットホルダに適用することで信頼性の高いＶＣＲ装置となる。
【図面の簡単な説明】
【図１】本例のカセット蓋起こし機構をカセットホルダに備えたＶＣＲ装置におけるカセコンの分解斜視図である。
【図２】カセット蓋起こし機構を備えたカセットホルダの平面図である。
【図３】カセット蓋起こし機構のロック手段を示したカセットホルダの一部分の斜視図である。
【図４】カセットホルダへの大カセットの装填状態でカセット蓋開放前の動作図である。
【図５】同じく大カセットのカセット蓋開放状態の動作図である。
【図６】カセットホルダへの小カセットの装填状態でカセット蓋開放前の動作図である。
【図７】同じく小カセットのカセット蓋開放状態の動作図である。
【図８】カセットホルダのローデンィグ位置でのカセット蓋起こし機構の動作図である。
【図９】同じくカセットホルダがエジェクト方向へ引き上げられる途中のカセット蓋起こし機構の動作図である。
【図１０】同じくカセットホルダが最も引き上げられた位置のカセット蓋起こし機構の動作図である。
【符号の説明】
１  カセコン、５  カセット挿入口、７  カセットホルダ、７ａ  ストッパ部、８  カセット引き込み／排出機構、４０  ガイド機構、５０  カセット挿入検出スイッチ機構、６０  小カセットの位置決めガイド機構、６６  大カセットのガイド板、６７  小カセット、６８  カセット蓋、６９  大カセット、７０  カセット蓋、７１  カセット蓋起こし機構の主体部、７２  カセット蓋起こし本体部、７３，７４  軸受板、７５，７６  蓋起こし片、７７  ストッパ片、７８ａ誤挿入ストッパ、７９  蓋起こし部材、８１  蓋閉め部材
【図１】
0003557777.tif 000002
【図２】
0003557777.tif 000003
【図３】
0003557777.tif 000004
【図４】
0003557777.tif 000005
【図５】
0003557777.tif 000006
【図６】
0003557777.tif 000007
【図７】
0003557777.tif 000008
【図８】
0003557777.tif 000009
【図９】
0003557777.tif 000010
【図１０】
0003557777.tif 000011